【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
電子デバイスによって音声信号品質を測定するための方法であって、
修正された単一チャネル音声信号を取得することと、
前記修正された単一チャネル音声信号に基づいて、複数の客観的ひずみを推定することと、ここにおいて、前記複数の客観的ひずみを推定することは、複数の前景ひずみスコアを推定することと、複数の背景ひずみスコアを推定することとを備える、
前記複数の客観的ひずみに基づいて、前景品質と背景品質とを推定することと、ここにおいて、前記前景品質を推定することは、前景品質スコアを決定するために、前記複数の前景ひずみスコアを合成することを備え、前記背景品質を推定することは、背景品質スコアを決定するために、前記複数の背景ひずみスコアを合成することを備える、
前記前景品質および前記背景品質に基づいて、全体品質を推定することと
を備える方法。
【請求項２】
音声信号品質を測定することは複数の階層レベルを含む階層構造に従って行われ、ここにおいて、各階層レベルは任意の各相対的に低い階層レベルに依存する、請求項１に記載の方法。
【請求項３】
前記複数の階層レベルは３つのレベルを備え、ここにおいて、第１の階層レベルは前記複数の客観的ひずみを推定することを備え、第２の階層レベルは前記前景品質と前記背景品質とを推定することを備え、第３の階層レベルは前記全体品質を推定することを備える、請求項２に記載の方法。
【請求項４】
前記全体品質を推定することはさらに前記複数の客観的ひずみに直接基づく、請求項１に記載の方法。
【請求項５】
前記複数の客観的ひずみの各々は音声品質の独立した次元を表す、請求項１に記載の方法。
【請求項６】
前記複数の前景ひずみスコアは、粗さスコアと、不連続性スコアと、鈍さスコアと、薄さスコアとを含む、請求項１に記載の方法。
【請求項７】
前記複数の背景ひずみスコアを推定することは、ヒッシングスコアを推定することと、前記修正された単一チャネル音声信号の中の雑音の変動性を示す変動性スコアを推定することとを備える、請求項１に記載の方法。
【請求項８】
前記修正された単一チャネル音声信号は元の音声信号に基づく、請求項１に記載の方法。
【請求項９】
前記複数の客観的ひずみは元の音声信号を伴わずに推定される、請求項１に記載の方法。
【請求項１０】
元の音声信号を取得することをさらに備え、ここにおいて、前記複数の客観的ひずみを推定することはさらに前記元の音声信号に基づく、請求項１に記載の方法。
【請求項１１】
音声信号品質を測定するための電子デバイスであって、
修正された単一チャネル音声信号に基づいて、複数の客観的ひずみを推定する計算形ひずみ推定器と、ここにおいて、前記複数の客観的ひずみを推定することは、複数の前景ひずみスコアを推定することと、複数の背景ひずみスコアを推定することとを備える、
前記計算形ひずみ推定器に結合された計算形前景品質推定器と、ここにおいて、前記計算形前景品質推定器は前記複数の客観的ひずみに基づいて前景品質を推定し、前記前景品質を推定することは、前景品質スコアを決定するために、前記複数の前景ひずみスコアを合成することを備える、
前記計算形ひずみ推定器に結合された計算形背景品質推定器と、ここにおいて、前記計算形背景品質推定器は前記複数の客観的ひずみに基づいて背景品質を推定し、前記背景品質を推定することは、背景品質スコアを決定するために、前記複数の背景ひずみスコアを合成することを備える、
前記計算形ひずみ推定器に結合された計算形全体品質推定器と、ここにおいて、前記計算形全体品質推定器は前記前景品質および前記背景品質に基づいて全体品質を推定する、
を備える電子デバイス。
【請求項１２】
音声信号品質を測定することは複数の階層レベルを含む階層構造に従って行われ、ここにおいて、各階層レベルは任意の各相対的に低い階層レベルに依存する、請求項１１に記載の電子デバイス。
【請求項１３】
前記複数の階層レベルは３つのレベルを備え、ここにおいて、第１の階層レベルは前記複数の客観的ひずみを推定することを備え、第２の階層レベルは前記前景品質と前記背景品質とを推定することを備え、第３の階層レベルは前記全体品質を推定することを備える、請求項１２に記載の電子デバイス。
【請求項１４】
前記複数の客観的ひずみは元の音声信号を伴わずに推定される、請求項１１に記載の電子デバイス。
【請求項１５】
前記計算形ひずみ推定器は、さらに元の音声信号に基づいて前記複数の客観的ひずみを推定する、請求項１１に記載の電子デバイス。
【請求項１６】
命令をその上に有する非一時的有形コンピュータ可読媒体を備える、音声信号品質を測定するためのコンピュータプログラム製品であって、前記命令は、
電子デバイスに、修正された単一チャネル音声信号を取得させるためのコードと、
前記電子デバイスに、前記修正された単一チャネル音声信号に基づいて複数の客観的ひずみを推定させるためのコードと、ここにおいて、前記複数の客観的ひずみを推定することは複数の前景ひずみスコアを推定することと、複数の背景ひずみスコアを推定することとを備える、
前記電子デバイスに、前記複数の客観的ひずみに基づいて前景品質と背景品質とを推定させるためのコードと、ここにおいて、前記前景品質を推定することは、前景品質スコアを決定するために、前記複数の前景ひずみスコアを合成することを備え、前記背景品質を推定することは、背景品質スコアを決定するために、前記複数の背景ひずみスコアを合成することを備える、
前記電子デバイスに、前記前景品質および前記背景品質に基づいて全体品質を推定させるためのコードと
を備える、コンピュータプログラム製品。
【請求項１７】
音声信号品質を測定することは複数の階層レベルを含む階層構造に従って行われ、ここにおいて、各階層レベルは任意の各相対的に低い階層レベルに依存する、請求項１６に記載のコンピュータプログラム製品。
【請求項１８】
前記複数の階層レベルは３つのレベルを備え、ここにおいて、第１の階層レベルは前記複数の客観的ひずみを推定することを備え、第２の階層レベルは前記前景品質と前記背景品質とを推定することを備え、第３の階層レベルは前記全体品質を推定することを備える、請求項１７に記載のコンピュータプログラム製品。
【請求項１９】
前記複数の客観的ひずみは元の音声信号を伴わずに推定される、請求項１６に記載のコンピュータプログラム製品。
【請求項２０】
前記電子デバイスに、元の音声信号を取得させるためのコードをさらに備え、ここにおいて、前記複数の客観的ひずみを推定することはさらに前記元の音声信号に基づく、請求項１６に記載のコンピュータプログラム製品。
【請求項２１】
音声信号品質を測定するための装置であって、
修正された単一チャネル音声信号を取得するための手段と、
前記修正された単一チャネル音声信号に基づいて複数の客観的ひずみを推定するための手段と、ここにおいて、前記複数の客観的ひずみを推定することは、複数の前景ひずみスコアを推定することと、複数の背景ひずみスコアを推定することとを備える、
前記複数の客観的ひずみに基づいて前景品質と背景品質とを推定するための手段と、ここにおいて、前記前景品質を推定することは、前景品質スコアを決定するために、前記複数の前景ひずみスコアを合成することを備え、前記背景品質を推定することは、背景品質スコアを決定するために、前記複数の背景ひずみスコアを合成することを備える、
前記前景品質および前記背景品質に基づいて全体品質を推定するための手段と
を備える装置。
【請求項２２】
音声信号品質を測定することは複数の階層レベルを含む階層構造に従って行われ、ここにおいて、各階層レベルは任意の各相対的に低い階層レベルに依存する、請求項２１に記載の装置。
【請求項２３】
前記複数の階層レベルは３つのレベルを備え、ここにおいて、第１の階層レベルは前記複数の客観的ひずみを推定することを備え、第２の階層レベルは前記前景品質と前記背景品質とを推定することを備え、第３の階層レベルは前記全体品質を推定することを備える、請求項２２に記載の装置。
【請求項２４】
前記全体品質を推定することはさらに前記複数の客観的ひずみに直接基づく、請求項２１に記載の装置。
【請求項２５】
前記複数の客観的ひずみの各々は音声品質の独立した次元を表す、請求項２１に記載の装置。
【請求項２６】
前記複数の前景ひずみスコアは、粗さスコアと、不連続性スコアと、鈍さスコアと、薄さスコアとを含む、請求項２１に記載の装置。
【請求項２７】
前記複数の背景ひずみスコアを推定することは、ヒッシングスコアを推定することと、前記修正された単一チャネル音声信号の中の雑音の変動性を示す変動性スコアを推定するとを備える、請求項２１に記載の装置。
【請求項２８】
前記修正された単一チャネル音声信号は元の音声信号に基づく、請求項２１に記載の装置。
【請求項２９】
前記複数の客観的ひずみは元の音声信号を伴わずに推定される、請求項２１に記載の装置。
【請求項３０】
元の音声信号を取得するための手段をさらに備え、ここにおいて、前記複数の客観的ひずみを推定することはさらに前記元の音声信号に基づく、請求項２１に記載の装置。